(57)【特許請求の範囲】
【請求項１】
回路基板を収容するカードケースと、カードケースの外側に回動自在に配設され回路基板の電気回路に電気的に接続しているアンテナとを備えたカード装置において、カードケースの側壁には、アンテナの基端側に設けられた導体材料から成るアンテナ回転軸を挿通させるための貫通孔が形成され、アンテナ回転軸はカードケース外側からそのアンテナ回転軸挿通用の貫通孔を挿通してカードケース内部に挿入され当該アンテナ回転軸はカードケース内部の回路基板の基板面と間隔を介し当該基板面に沿うように配置されており、アンテナ回転軸に対向する回路基板部分には、回路基板の電気回路に電気的に接続している給電端子が固定されており、この給電端子は、平板状の板材を曲げ変形し形成されているものであって、当該給電端子は、回路基板面に接合される固定用部位を有すると共に、当該固定用部位の両側からそれぞれ回路基板面から離れる方向に曲げ起こされたアンテナ回転軸弾性押圧部を有し、当該対を成すアンテナ回転軸弾性押圧部の先端側にはアンテナ回転軸の周面に面接触し弾性力を利用してアンテナ回転軸を両側から押圧して挟持する部位を備えており、前記アンテナ回転軸に面接触してアンテナ回転軸を押圧挟持する面と、前記回路基板との接合面とは板材の表裏一方側の同一面に形成されていることを特徴とするカード装置。
【請求項２】
カードケース内壁面には、アンテナ回転軸挿通用の貫通孔を通ってカードケース内部に挿入されたアンテナ回転軸部分を回路基板から浮いた状態で回動自在に支持するアンテナ回転軸支持部が設けられていることを特徴とする請求項１記載のカード装置。
【請求項３】
カードケースは回路基板の表面側に配置される表側カバーと、回路基板の裏面側に配置される裏側カバーとが組み合わされて成る構成と成し、それら表側カバーと裏側カバーのうちの一方側のカバーには、他方側のカバーの側壁の外壁面に沿って伸長形成された伸設壁部が設けられ、この伸設壁部の先端部にはフック部が設けられており、他方側のカバーには、そのフック部を引っ掛け固定するためのフック受け部が設けられており、一方側のカバーのフック部が他方側のカバーのフック受け部に引っ掛け固定されて、表側カバーと裏側カバーが組み合わされていることを特徴とする請求項１記載のカード装置。
【請求項４】
回路基板を収容するカードケースと、カードケースの外側に回動自在に配設され回路基板の電気回路に電気的に接続しているアンテナとを備えたカード装置において、カードケースは回路基板の表面側に配置される表側カバーと、回路基板の裏面側に配置される裏側カバーとが組み合わされている構成と成し、当該カードケースの側壁には、アンテナの基端側に設けられた導体材料から成るアンテナ回転軸を挿通させるための貫通孔が形成され、アンテナ回転軸はカードケース外側からそのアンテナ回転軸挿通用の貫通孔を挿通してカードケース内部に挿入され当該アンテナ回転軸はカードケース内部の回路基板の基板面と間隔を介し当該基板面に沿うように配置され、カードケースの表側カバーの内壁面には、そのアンテナ回転軸挿通用の貫通孔を通ってカードケース内部に挿入されたアンテナ回転軸部分を回路基板から浮いた状態で回動自在に支持するアンテナ回転軸支持部が設けられ、アンテナ回転軸に対向する回路基板部分には、回路基板の電気回路に電気的に接続している給電端子が固定されており、この給電端子は、アンテナ回転軸の周面に面接触し弾性力を利用してアンテナ回転軸を両側から挟持する対を成すアンテナ回転軸弾性押圧部を有し、当該対を成すアンテナ回転軸弾性押圧部間への挿入入口は給電端子の上部に位置している構成と成し、カードケースの裏側カバーに表側カバーが、裏側カバー上の回路基板の上側から被せられるときにアンテナ回転軸が給電端子の対を成すアンテナ回転軸弾性押圧部間に押し込み挿入されながら表側カバーと裏側カバーが組み合わされて、アンテナ回転軸が対を成すアンテナ回転軸弾性押圧部間に入り込み完了し当該アンテナ回転軸弾性押圧部によりアンテナ回転軸が弾性押圧挟持されて回路基板の電気回路に電気的に接続されていることを特徴とするカード装置。
【請求項５】
給電端子は、導体から成る接合材料を介して回路基板に固定されていることを特徴とする請求項１乃至請求項４の何れか一つに記載のカード装置。
【発明の詳細な説明】
【技術分野】
【０００１】  本発明は、例えばパソコン等の電子機器に装着されて使用されるカード装置に関するものである。
【背景技術】
【０００２】  図６にはカード装置の一外観例が簡略化した模式図により示されている。このカード装置４１は、カードケース４２と、このカードケース４２内に収容配置されている回路基板４３と、カードケース４２の外側に回動自在に配設されるアンテナ４４とを有して構成されている。【０００３】  アンテナ４４の基端側には導体材料から成るアンテナ回転軸４５が形成され、カードケース４２の側壁には、そのアンテナ回転軸４５をカードケース４２の外側から内側に挿入させるための貫通孔が設けられている。このアンテナ回転軸挿通用の貫通孔を通してカードケース４２の内部に挿入されたアンテナ回転軸４５は、回路基板４３に設けられている電気回路（図示せず）に電気的に接続されている。これにより、アンテナ４４はアンテナ回転軸４５を介して回路基板４３の電気回路に電気的に接続されている。【０００４】
【特許文献１】特開２００１−３３９２１１号公報
【特許文献２】特開２００２−３７４１１１号公報
【発明の開示】
【発明が解決しようとする課題】
【０００５】  ところで、アンテナ回転軸４５は回動することから、このアンテナ回転軸４５の回動に起因した様々な理由によって、アンテナ回転軸４５を直接的に回路基板４３に接続することは好ましくない。このことから、例えば、図７の模式的な断面図に示されるような給電端子４６を利用して、アンテナ回転軸４５を回路基板４３の電気回路に電気的に接続させる構成が提案されている（例えば特許文献１参照）。【０００６】  この図７の例では、給電端子４６は導体材料により構成されており、アンテナ回転軸４５が接触接続するアンテナ回転軸接続用部位４６Ａと、回路基板４３の基板面に形成された電気回路のアンテナ接続用ランド４７に接触接続する回路接続用部位４６Ｂとを有して構成されている。アンテナ回転軸４５が給電端子４６のアンテナ回転軸接続用部位４６Ａに接触接続し、給電端子４６の回路接続用部位４６Ｂが回路基板４３のアンテナ接続用ランド４７に接触接続することで、アンテナ４４は、アンテナ回転軸４５と給電端子４６を介して回路基板４３の電気回路に電気的に接続することができる。なお、図７に示される符号４８は、アンテナ接続用ランド４７を電気回路の例えば無線通信用の高周波回路（図示せず）に接続させるための配線パターンを示している。【０００７】  図７に示されるような給電端子４６を利用して、アンテナ回転軸４５を回路基板４３の電気回路に電気的に接続させる構成にすると、次に示すような問題が発生する。つまり、給電端子４６は、アンテナ回転軸４５が接触接続する部分４６Ａと、回路基板４３のアンテナ接続用ランド４７に接触接続する部分４６Ｂとが、回路基板４３の上方側から見たときに並設配置される構成である。また、アンテナ回転軸４５やアンテナ接続用ランド４７との接触接続不良を防止しなければならないことを考慮すると、アンテナ回転軸接続用部位４６Ａや回路接続用部位４６Ｂの大きさを小さくするのには限界がある。これらのことから、カード装置４１における給電端子４６の占有面積の削減が難しいという問題がある。【０００８】  また、アンテナ４４と、回路基板４３の電気回路との間を導通する信号は、給電端子４６のアンテナ回転軸接続用部位４６Ａとアンテナ回転軸４５との接触接続部分と、給電端子４６の回路接続用部位４６Ｂと回路基板４３のアンテナ接続用ランド４７との接触接続部分との２箇所の接触接続部分を通ることとなる。それら接触接続部分は、導体同士が接触しているだけであるので、信号の導通不良が発生し易いという問題が発生する。また、信号の導通損失（ロス）が大きくなるという問題も発生する。このような問題により、カード装置４１の無線通信性能の信頼性の低下が心配される。また、給電端子４６とアンテナ接続用ランド４７との接触信頼性を上げるために、アンテナ接続用ランド４７の表面に金メッキ処理等を施すこととなり、高価なものとなっていた。
【課題を解決するための手段】
【０００９】
この発明は次に示す構成をもって前記課題を解決するための手段としている。すなわち、この発明は、回路基板を収容するカードケースと、カードケースの外側に回動自在に配設され回路基板の電気回路に電気的に接続しているアンテナとを備えたカード装置において、カードケースの側壁には、アンテナの基端側に設けられた導体材料から成るアンテナ回転軸を挿通させるための貫通孔が形成され、アンテナ回転軸はカードケース外側からそのアンテナ回転軸挿通用の貫通孔を挿通してカードケース内部に挿入され当該アンテナ回転軸はカードケース内部の回路基板の基板面と間隔を介し当該基板面に沿うように配置されており、アンテナ回転軸に対向する回路基板部分には、回路基板の電気回路に電気的に接続している給電端子が固定されており、この給電端子は、平板状の板材を曲げ変形し形成されているものであって、当該給電端子は、回路基板面に接合される固定用部位を有すると共に、当該固定用部位の両側からそれぞれ回路基板面から離れる方向に曲げ起こされたアンテナ回転軸弾性押圧部を有し、当該対を成すアンテナ回転軸弾性押圧部の先端側にはアンテナ回転軸の周面に面接触し弾性力を利用してアンテナ回転軸を両側から押圧して挟持する部位を備えており、前記アンテナ回転軸に面接触してアンテナ回転軸を押圧挟持する面と、前記回路基板との接合面とは板材の表裏一方側の同一面に形成されていることを特徴としている。また、この発明は、回路基板を収容するカードケースと、カードケースの外側に回動自在に配設され回路基板の電気回路に電気的に接続しているアンテナとを備えたカード装置において、カードケースは回路基板の表面側に配置される表側カバーと、回路基板の裏面側に配置される裏側カバーとが組み合わされている構成と成し、当該カードケースの側壁には、アンテナの基端側に設けられた導体材料から成るアンテナ回転軸を挿通させるための貫通孔が形成され、アンテナ回転軸はカードケース外側からそのアンテナ回転軸挿通用の貫通孔を挿通してカードケース内部に挿入され当該アンテナ回転軸はカードケース内部の回路基板の基板面と間隔を介し当該基板面に沿うように配置され、カードケースの表側カバーの内壁面には、そのアンテナ回転軸挿通用の貫通孔を通ってカードケース内部に挿入されたアンテナ回転軸部分を回路基板から浮いた状態で回動自在に支持するアンテナ回転軸支持部が設けられ、アンテナ回転軸に対向する回路基板部分には、回路基板の電気回路に電気的に接続している給電端子が固定されており、この給電端子は、アンテナ回転軸の周面に面接触し弾性力を利用してアンテナ回転軸を両側から挟持する対を成すアンテナ回転軸弾性押圧部を有し、当該対を成すアンテナ回転軸弾性押圧部間への挿入入口は給電端子の上部に位置している構成と成し、カードケースの裏側カバーに表側カバーが、裏側カバー上の回路基板の上側から被せられるときにアンテナ回転軸が給電端子の対を成すアンテナ回転軸弾性押圧部間に押し込み挿入されながら表側カバーと裏側カバーが組み合わされて、アンテナ回転軸が対を成すアンテナ回転軸弾性押圧部間に入り込み完了し当該アンテナ回転軸弾性押圧部によりアンテナ回転軸が弾性押圧挟持されて回路基板の電気回路に電気的に接続されていることをも特徴としている。
【発明の効果】
【００１０】  この発明によれば、給電端子は、回路基板から浮いた位置に配置されているアンテナ回転軸に対向する回路基板部分に固定され、また、当該給電端子は、弾性力を利用してアンテナ回転軸を両側から挟持する対を成すアンテナ回転軸弾性押圧部を有する構成とした。つまり、この発明における給電端子は、アンテナ回転軸に接触接続する部分と、回路基板の電気回路に接続する部分とが上下方向に配設される構成とした。この構成によって、アンテナ回転軸接続用部位と回路接続用部位とが並設されている構成を持つ給電端子に比べて、カード装置における給電端子の占有面積の削減が容易となる。【００１１】  また、この発明では、給電端子は、対を成すアンテナ回転軸弾性押圧部によって、アンテナ回転軸を両側から挟持し、しかも、それらアンテナ回転軸弾性押圧部はアンテナ回転軸に面接触しているので、アンテナ回転軸と給電端子との接触面積は広くてアンテナ回転軸と給電端子との電気的な接続の安定化を図ることができる。
【図面の簡単な説明】
【００１２】［図１］本発明に係るカード装置の一実施例において特徴的な構成部分を抜き出して示した模式的な断面図である。
［図２］本発明に係るカード装置の一実施例を分解状態により示したモデル図である。
［図３］図１や図２に示されるカード装置に組み込まれる給電端子の一形態例を示した模式的な斜視図である。
［図４ａ］給電端子とアンテナ回転軸を組み合わせる前の状態例を説明するためのモデル図である。
［図４ｂ］給電端子とアンテナ回転軸を組み合わせる作業の途中の状態例を説明するためのモデル図である。
［図４ｃ］給電端子とアンテナ回転軸を組み合わせたときの状態例を説明するためのモデル図である。
［図５］給電端子のその他の形態例を示すモデル図である。
［図６］カード装置の一外観例を簡略化して示したモデル図である。
［図７］アンテナ回転軸を給電端子を介して回路基板の回路に電気的に接続させるための一構成例を説明するための図である。
【符号の説明】
【００１３】  １  カード装置
２  表側カバー
３  裏側カバー
４  カードケース
５  回路基板
７  アンテナ
１２  アンテナ回転軸
１３  貫通孔
１８  アンテナ回転軸支持部
２０  給電端子
２２Ａ，２２Ｂ，２７Ａ，２７Ｂ  アンテナ回転軸弾性押圧部
【発明を実施するための最良の形態】
【００１４】  以下に、この発明に係る実施例を図面に基づいて説明する。【００１５】  この実施例のカード装置は、図２の模式的な分解図に示されるように、表側カバー２と裏側カバー３が組み合わされて成るカードケース４と、このカードケース４の内部空間に収容配置される回路基板５と、カードケース４の外側に回動自在に配置され回路基板５に形成されている電気回路６に電気的に接続しているアンテナ７とを有して構成されている。このカード装置１は、例えばパソコン等の電子機器のカード装着部に嵌合挿入されて使用されるもの（例えばＣＦカードやＰＣカードなど）である。当該カード装置１は、電子機器のカード装着部に嵌合挿入したときにカード装着部から食み出すエクステンド部Ｅを有するエクステンドタイプのカード装置と成っている。なお、ＣＦ（コンパクトフラッシュ）は日本国特許庁に商標登録されている登録商標である。【００１６】  表側カバー２は、側壁を構成する例えば樹脂材料から成るフレーム１０と、例えば金属板により構成されているパネル１１とが一体化されて構成されている。また、裏側カバー３は例えば金属板により構成されており、この裏側カバー３には表側カバー２の側壁（つまり、フレーム１０）の外壁面に沿って上向きに伸長形成された伸設壁部３ａ，３ｂが形成されている。これら伸設壁部３ａ，３ｂのそれぞれの先端部は折り曲げられてフック部Ｆと成している。表側カバー２には、そのフック部Ｆを引っ掛け固定するためのフック受け部１０ｆが設けられている。【００１７】  この実施例では、表側カバー２のフレーム１０の底面部分が、裏側カバー３の端縁部分（例えば、図２に示される斜線を施した部分Ｚａ）に、例えば接着剤や両面テープ等の接着材料によって接合される。かつ、それと共に、裏側カバー３のフック部Ｆが表側カバー２のフック受け部１０ｆに引っ掛け固定される。このように表側カバー２と裏側カバー３が組み合わされてカードケース４が作製される。【００１８】  回路基板５は、この実施例では、表面側だけに部品が実装される片面実装タイプの回路基板である。当該回路基板５は、裏面側が裏側カバー３に両面テープや接着剤等の接着材料によって固着されるか、あるいは、熱圧着により裏側カバー３に固着される。このような固定状態で、回路基板５は、表側カバー２と裏側カバー３が組み合わされて成るカードケース４の内部空間に収容配置される。【００１９】  アンテナ７は、例えば樹脂材料により構成されている保護ケース７ａと、この保護ケース７ａの内部に収容配置され電波の送信や受信を行うアンテナ本体（図示せず）とを有して構成され、このアンテナ７の基端側には、アンテナ本体に電気的に接続する導体材料から成るアンテナ回転軸１２が設けられている。【００２０】  図１には図２のＡ−Ａ部分の断面図が模式的に示されている。この図１に示されるように、表側カバー２には、フレーム１０の、エクステンド部Ｅを構成している部分の側壁に、アンテナ回転軸挿通用の貫通孔１３が形成されている。この貫通孔１３は、アンテナ回転軸１２をカードケース外側からカードケース内側に回路基板５の基板面に沿う方向に挿入させるためのものである。この貫通孔１３は、アンテナ回転軸１２がほぼ隙���無く挿通する嵌合部１３Ａと、この嵌合部１３Ａよりも拡径している拡径部１３Ｂとを有し、それら嵌合部１３Ａと拡径部１３Ｂは、カードケース４の内側から外側に向かう方向に順に配置されている。【００２１】  貫通孔１３の拡径部１３Ｂの内部には、当該拡径部１３Ｂと嵌合部１３Ａにより形成される段差Ｄに当接するワッシャー１４と、このワッシャー１４に当接するＯリング１５とが配置される。これらワッシャー１４とＯリング１５はアンテナ回転軸１２を通すことができるものである。【００２２】  アンテナ回転軸１２の基端側には、貫通孔１３の拡径部１３Ｂに嵌まる張り出し部１２Ａが形成されている。アンテナ回転軸１２を貫通孔１３に挿入する際には、例えば、アンテナ回転軸１２に前記Ｏリング１５とワッシャー１４を順に通した状態で、カードケース４の外側から貫通孔１３内にアンテナ回転軸１２を挿入する。この実施例では、ワッシャー１４が貫通孔１３内の段差Ｄに当接し、このワッシャー１４にＯリング１５が当接し、さらに、このＯリング１５にアンテナ回転軸１２の張り出し部１２Ａが当接して係止することで、アンテナ回転軸１２の挿入が停止する。この状態のアンテナ回転軸１２を抜け止めするために、カードケース４の内部からアンテナ回転軸１２にワッシャー１７が挿通され、また、Ｅリング１６が装着される。このＥリング１６はワッシャー１７を介してカードケース４内部における貫通孔１３の開口端縁に係止してアンテナ回転軸１２を抜け止めする。このような貫通孔１３とワッシャー１４，１７とＯリング１５とＥリング１６によって、アンテナ回転軸１２を回動自在な状態で表側カバー２に取り付けることができる。【００２３】  この実施例では、Ｏリング１５と、アンテナ回転軸１２の張り出し部１２Ａとの当接部分に生じる摩擦力によりアンテナ７の回動調節位置を保持するアンテナ回動位置保持手段が構成されている。なお、アンテナ回転軸１２の張り出し部１２ＡとＯリング１５間の摩擦力が、アンテナ７のスムーズな回動を妨げることなく、かつ、アンテナ７の回動調節位置を保持することができる摩擦力となるように、Ｏリング１５の表面には、摩擦力調整のための潤滑材料が塗布形成されている。【００２４】  この実施例では、貫通孔１３内の段差ＤとＯリング１５との間にワッシャー１４が介設され、また、カードケース４の内側の貫通孔１３の開口端縁（フレーム１０の内側壁）とＥリング１６との間にワッシャー１７が介設されている。それらワッシャー１４，１７によって、貫通孔１３内の段差ＤとＯリング１５間や、フレーム１０の内側壁とＥリング１６間の摩擦を防止して摩擦によるフレーム１０やＯリング１５やＥリング１６の劣化による部品寿命の短命化を防止できる。【００２５】  表側カバー２の内壁面には、アンテナ回転軸１２の先端部分が配置される位置に、アンテナ回転軸支持部１８が設けられている。この実施例では、アンテナ回転軸支持部１８は、フレーム１０の内壁面からカードケース４内部に向けて突き出し形成された板状の突出片１８ａにアンテナ回転軸挿通用の孔部１８ｂが設けられた形態を有している。当該アンテナ回転軸支持部１８は、その孔部１８ｂにアンテナ回転軸１２の先端部分が挿通されることにより、アンテナ回転軸１２を回路基板５から浮いた状態で回動自在に表側カバー２（フレーム１０）に支持できる構成となっている。【００２６】  この実施例では、貫通孔１３が設けられているフレーム１０の側壁とアンテナ回転軸支持部１８との間に配置されているアンテナ回転軸部分に対向する回路基板５の位置には、回路基板５に形成されている電気回路６のアンテナ接続部として機能するアンテナ接続用ランド（図示せず）が設けられている。このアンテナ接続用ランドには、導体材料から成る給電端子２０が例えばはんだ等の接合材料を介して固定されている（面実装されている）。これにより、給電端子２０は回路基板５に固定されると共に、回路基板５の電気回路６に電気的に接続されている。【００２７】  給電端子２０は、図３の斜視図に示されるような形態を有している。当該給電端子２０は、金属板を曲げ加工して作製されたものであり、回路基板５に接合材料（例えば、はんだ）を介して固定される固定用部位２１と、対を成すアンテナ回転軸弾性押圧部２２Ａ，２２Ｂとを有して構成されている。【００２８】  図４ｃには給電端子２０の模式的な正面図がアンテナ回転軸１２と共に示されている。この図に示されるように、アンテナ回転軸弾性押圧部２２Ａ，２２Ｂは、弾性力を利用して、アンテナ回転軸１２を両側から挟持するものであり、当該アンテナ回転軸弾性押圧部２２Ａ，２２Ｂは、それぞれ、アンテナ回転軸１２の周面に面接触してアンテナ回転軸１２に押圧接触する構成と成している。アンテナ回転軸１２は、給電端子２０のアンテナ回転軸弾性押圧部２２Ａ，２２Ｂに押圧接触されることにより、給電端子２０を介して回路基板５の電気回路６に電気的に接続されている。【００２９】  また、アンテナ回転軸弾性押圧部２２Ａ，２２Ｂは、それぞれ、アンテナ回転軸１２の周面に面接触してアンテナ回転軸１２に押圧接触することから、アンテナ回転軸１２に対して次に示すような摩擦トルクを生じさせることができる。つまり、この実施例では、アンテナ回動位置保持手段を構成するＯリング１５が破損したときに、そのＯリング１５に代わって、アンテナ回転軸弾性押圧部２２Ａ，２２Ｂがアンテナ回動位置保持手段として機能できるように、アンテナ回転軸弾性押圧部２２Ａ，２２Ｂとアンテナ回転軸１２間の摩擦力が設定されている。つまり、アンテナ７のスムーズな回動を妨げることなく、かつ、アンテナ７の回動調節位置を保持することができる摩擦力となるように、アンテナ回転軸弾性押圧部２２Ａ，２２Ｂによるアンテナ回転軸１２への押圧力等が設定されている。このため、アンテナ回転軸弾性押圧部２２Ａ，２２Ｂは、それぞれ、アンテナ回転軸１２に対して、アンテナ回動位置保持手段として機能できる摩擦力を生じさせている。【００３０】  この実施例では、前述したように回路基板５は裏側カバー３に固定され、また、アンテナ回転軸１２は表側カバー２に支持固定される。また、対を成すアンテナ回転軸弾性押圧部２２Ａ，２２Ｂ間の挿入入口２４は給電端子２０の上部に位置している。これらの構成のために、例えば、製造工程において、アンテナ回転軸１２が取り付けられた表側カバー２を、回路基板５が固定された裏側カバー３に被せること��より、アンテナ回転軸１２を、図４ａ→図４ｂに示されるように、挿入入口２４から、アンテナ回転軸弾性押圧部２２Ａ，２２Ｂの弾性力に抗しながら、当該対を成すアンテナ回転軸弾性押圧部２２Ａ，２２Ｂ間に押し込み挿入させることができる。そして、表側カバー２と裏側カバー３の組み合わせが完了した状態で、アンテナ回転軸１２が、アンテナ回転軸弾性押圧部２２Ａ，２２Ｂに面接触し、当該アンテナ回転軸弾性押圧部２２Ａ，２２Ｂによって両側から弾性押圧挟持される状態とすることができる。つまり、表側カバー２と裏側カバー３を組み合わせるだけで、アンテナ回転軸１２を、給電端子２０のアンテナ回転軸弾性押圧部２２Ａ，２２Ｂにより弾性押圧挟持させることができる。このため、製造工程において、給電端子２０に対するアンテナ回転軸１２の配置位置を調節する等の面倒な作業が不要となり、カード装置１の製造を容易にすることができる。【００３１】  この実施例では、給電端子２０は、弾性力を利用してアンテナ回転軸１２を両側から面接触により押圧挟持する構成としたので、給電端子２０とアンテナ回転軸１２の電気的な接続の信頼性を向上させることができる。また、給電端子２０の弾性力は、回路基板５の基板面に沿う方向の力であり、給電端子２０を回路基板５から浮き上がらせる方向の力ではないので、給電端子２０自身の弾性力によって給電端子２０が回路基板５から剥がれ易くなるという問題を回避することができる。【００３２】  さらに、この実施例では、給電端子２０を例えばはんだ等の接合材料を介して回路基板５に固定して給電端子２０を回路基板５の電気回路６に電気的に接続させる構成である。このため、アンテナ７と回路基板５の電気回路６との間を通電する信号の導通経路において、導体同士の接触接続部分は、給電端子２０とアンテナ回転軸１２との接触接続部分だけの１箇所のみとすることができる。このように、この実施例では、アンテナ７と電気回路６間の信号導通経路における導体同士の接触接続部分を少なくできるものであるので、接触接続に起因した導通不良の発生や、信号ロス増加問題を抑制することができる。これにより、アンテナ７と回路基板５の電気回路６との電気的な接続（信号接続）の信頼性を高めることができて、カード装置１の無線通信性能の信頼性を向上させることができる。【００３３】  また、例えば、仮に、給電端子を回路基板の例えばランドに接触接続させて当該回路基板の電気回路に接続させる構成とする場合には、その給電端子とランドとの接触接続の信頼性を向上させるために、ランドの表面に金メッキ等の処理を行う必要がある。これに対して、この実施例では、給電端子２０を回路基板５の例えばランドにはんだ等の接合材料により固定して当該回路基板５の電気回路６に接続させる構成である。このため、ランドに金メッキ等の処理が不要となり、その分、製造コストを下げることができて、安価なカード装置１を提供できるようになる。【００３４】  さらに、この実施例では、給電端子２０を例えばはんだ等の接合材料によって回路基板５に固定する構成であるので、例えば回路基板５に電子部品をはんだ接続する工程で、給電端子２０も同時に回路基板５に固定することが可能になる。これにより、例えば、給電端子２０をねじ留めするというような面倒な作業が不要となって、カード装置１の製造工程の簡略化を図ることができる。これにより、カード装置１の製造コストを低減することができて、カード装置１の低コスト化を図ることができる。【００３５】  さらに、この実施例では、カードケース４の内壁面にアンテナ回転軸支持部１８が設けられている。この構成を備えることによって、アンテナ回転軸１２はカードケース４の側壁と、カードケース４の内壁面のアンテナ回転軸支持部１８とによって支持される。このために、アンテナ７に衝撃が加えられ当該外部ストレスがアンテナ回転軸１２にも加えられた場合に、そのアンテナ回転軸１２に加えられた外部ストレスをカードケース４の側壁や、アンテナ回転軸支持部１８を通してカードケース４に逃がすことができる。その上、アンテナ回転軸１２に接触接続している給電端子２０のアンテナ回転軸弾性押圧部２２Ａ，２２Ｂは弾性を有する。このため、アンテナ回転軸１２から給電端子２０に外部ストレスが加えられても当該外部ストレスはアンテナ回転軸弾性押圧部２２Ａ，２２Ｂの弾性に吸収される。これにより、外部ストレスがアンテナ回転軸１２から給電端子２０を介して回路基板５に加えられることは防止される。すなわち、この実施例の構成では、アンテナ７に衝撃が加えられた場合に、その外部ストレスがアンテナ回転軸１２を通して直接的に回路基板５に加えられる事態を回避できる。これにより、例えば、給電端子２０が回路基板５から剥がれる等の問題を防止できる。このため、外部からの衝撃に対して強いカード装置１を提供することができる。【００３６】  さらに、この実施例では、裏側カバー３に設けられた伸設壁部３ａ，３ｂのフック部Ｆが表側カバー２のフック受け部１０ｆに引っ掛け固定されて、表側カバー２と裏側カバー３が組み立てられている構成を備えている。このため、表側カバー２と裏側カバー３を組み立てる際に、ねじ留め等の面倒な作業が不要となるので、カード装置１の製造を容易にすることができる。また、表側カバー２と裏側カバー３が機械的に組み立てられるので、表側カバー２と裏側カバー３の接着が剥がれてしまうというような表側カバー２と裏側カバー３の組み立て状態の劣化は発生し難くなって、カードケース４の機械的強度を高めることができる。【００３７】  また、この実施例では、表側カバー２にアンテナ回転軸１２が支持固定され、裏側カバー３には給電端子２０が固定された回路基板５が載置されている構成を備えている。このため、仮に、表側カバー２と裏側カバー３の組み立て状態が劣化すると、給電端子２０によるアンテナ回転軸１２の弾性押圧挟持状態が解消されてしまう虞がある。これに対して、この実施例では、上記のように、裏側カバー３のフック部Ｆを、表側カバー２のフック受け部１０ｆに引っ掛け固定して、表側カバー２と裏側カバー３を機械的に組み合わせる構成とするので、表側カバー２と裏側カバー３の組み合わせ固定を強固にすることができる。これにより、表側カバー２と裏側カバー３の組み合わせ状態の劣化に起因した給電端子２０によるアンテナ回転軸１２の弾性押圧挟持状態の解消の事態発生を防止することができる。このため、アンテナ７と回路基板５の電気回路６との電気的な接続に対する信頼性を高めることができる。【００３８】  なお、この発明はこの実施例の形態に限定されるものではなく、様々な実施の形態を採り得る。例えば、この実施例では、カード装置１は、エクステンドタイプのものであったが、もちろん、本発明は、エクステンド部Ｅを有していないタイプのカード装置にも適用することができるものである。【００３９】  また、この実施例では、表側カバー２は、例えば樹脂材料から成るフレーム１０に、金属板から成るパネル１１が設けられて成る形態であったが、例えば、表側カバー２は、この実施例に示した形状と同様な形状を持つ例えば全体が同じ樹脂材料（例えばポリカーボネート等の非晶性樹脂）から成る例えば成型技術により作製される一体成形体により構成されていてもよい。【００４０】  さらに、この実施例では、アンテナ回動位置保持手段は、Ｏリング１５を利用したものであったが、例えば、Ｏリング１５に代えて、ウエイブワッシャーを設け、アンテナ回動位置保持手段は、そのウエイブワッシャーと、アンテナ回転軸１２の張り出し部１２Ａとの間の摩擦力を利用して、アンテナ７の回動調節位置を保持する構成としてもよい。さらに、アンテナ回動位置保持手段は、ばねを利用した構成としてもよい。このように、アンテナ７の回動調節位置を保持するための機構には様々な構成があり、その何れの構成をもアンテナ回動位置保持手段として採用してよい。さらにまた、この実施例では、給電端子２０を構成するアンテナ回転軸弾性押圧部２２Ａ，２２Ｂは、アンテナ回転軸位置保持手段としても機能できる構成としたので、アンテナ回転軸弾性押圧部２２Ａ，２２Ｂとは別のアンテナ回転軸位置保持手段（例えばＯリング１５）を省略してもよい。この場合には、部品点数を削減することができる。【００４１】  さらに、給電端子は、弾性力を利用してアンテナ回転軸を両側から面接触により押圧挟持する対を成すアンテナ回転軸弾性押圧部を有する形態であれば、図３以外の形態をも採り得るものである。例えば、図５に示されるような給電端子２０を設けてもよい。この給電端子２０は、金属板を打ち抜き加工して作製されるものであり、当該給電端子２０も、弾性力を利用してアンテナ回転軸１２を両側から挟持する対を成すアンテナ回転軸弾性押圧部２７Ａ，２７Ｂを有している。それら対を成すアンテナ回転軸弾性押圧部２７Ａ，２７Ｂ間への挿入入口２８は給電端子２０の上部に位置している。【００４２】  さらに、この実施例では、アンテナ回転軸支持部１８は、１つだけ設けられていたが、例えば、複数のアンテナ回転軸支持部１８を互いに間隔を介して設け、カードケース４内に挿入されたアンテナ回転軸１２は、それら複数のアンテナ回転軸支持部１８によって、複数箇所で支持される構成としてもよい。
【産業上の利用可能性】
【００４３】  本発明は、カード装置の製造工程を簡略化でき、また、カード装置の信頼性を高めることができるものであることから、例えば汎用性のカード装置等に有効である。
【図１】
0004033229.tif 000002
【図２】
0004033229.tif 000003
【図３】
0004033229.tif 000004
0004033229.tif 000005
【図５】
0004033229.tif 000006
【図６】
0004033229.tif 000007
【図７】
0004033229.tif 000008